(57)【特許請求の範囲】
【請求項１】
薬物注射装置であって、
蓋（１１）及びベース（１２）と、注射針出し入れ穴（８）とを有している本体ケース（１０）と、
前記本体ケースの内部に設けられ、内部に薬物シリンジ（１７）が取り付けられるように構成された薬物シリンジ取り付け部品と、
前記薬物シリンジ取り付け部品に対して移動できるように構成されたピストン（２９）と、
前記薬物シリンジ取り付け部品及び前記ピストン（２９）を駆動するように構成された駆動機構と、
前記駆動機構に電気的に接続されたコントローラと、
前記蓋（１１）が閉じられたときに前記薬物シリンジ取り付け部品の移動によって作動させられる当該薬物注射装置の動作時に前記蓋（１１）をロックするための手段であって、前記蓋（１１）をロックするための手段が、前記蓋（１１）に接続された第１のロック手段を備え、該第１のロック手段は、前記薬物シリンジ取り付け部品に接続された第２のロック手段と相互作用するように構成され、相互作用時に前記蓋（１１）及び前記薬物シリンジ取り付け部品を互いに分離させることが不可能であり、相互作用は、前記蓋（１１）が閉じられ、前記薬物シリンジ取り付け部品が取り付け位置から離れるように動かされるときに限って生じる、前記蓋（１１）をロックするための手段と
を備える薬物注射装置。
【請求項２】
前記コントローラによって前記薬物シリンジ取り付け部品及び前記ピストン（２９）を駆動することができるように、前記蓋（１１）が閉じられたことを前記コントローラに知らせるように構成されたセンサを更に備えることを特徴とする請求項１に記載の薬物注射装置。
【請求項３】
前記薬物シリンジ取り付け部品は、前記薬物シリンジ（１７）を着脱可能に取り付けることができるスレッジ（１３）であることを特徴とする請求項１又は２に記載の薬物注射装置。
【請求項４】
前記駆動機構は、前記ピストン（２９）のための駆動手段と、前記ピストンのための駆動手段とは別の前記薬物シリンジ取り付け部品のための駆動手段と、を備えることを特徴とする請求項１〜３のいずれか一項に記載の薬物注射装置。
【請求項５】
前記ピストン（２９）のための駆動手段は、前記薬物シリンジ取り付け部品に取り付けられることを特徴とする請求項４に記載の薬物注射装置。
【請求項６】
前記ピストン（２９）及び前記薬物シリンジ取り付け部品のための駆動手段は、電気機械モータ（２６、２７）又はばね駆動システムとすることができることを特徴とする請求項４又は５に記載の薬物注射装置。
【請求項７】
前記薬物シリンジ取り付け部品は、前記ベース（１２）の内部に取り付けられていることを特徴とする請求項１〜６のいずれか一項に記載の薬物注射装置。
【請求項８】
前記第１のロック手段は、前記蓋（１１）から前記薬物シリンジ取り付け部品に向かって延びている少なくとも１つのフック（２１）であり、前記第２のロック手段は、前記薬物シリンジ取り付け部品の少なくとも片側から横方向に延びている長手方向のリム（２３）であり、少なくとも１つの前記リム（２３）は、前記蓋（１１）が閉じられ、前記薬物シリンジ取り付け部品が前記取り付け位置から離れるように動かされるときに、前記少なくとも１つのフック（２１）によって捕まえられるように構成されていることを特徴とする請求項７に記載の薬物注射装置。
【請求項９】
前記蓋（１１）は、ヒンジによって前記ベース（１２）に接続され、前記第１及び第２のロック手段は、前記蓋（１１）及び前記薬物シリンジ取り付け部品の前記ヒンジ（２５）とは反対の側に位置していることを特徴とする請求項７又は８に記載の薬物注射装置。
【請求項１０】
前記蓋（１１）は、前記本体ケース（１０）の内側に面するように前記蓋（１１）の両側に配置された２つの前記第１のロック手段を有し、前記薬物シリンジ取り付け部品は、２つの対応する前記第２のロック手段を有することを特徴とする請求項７又は８に記載の薬物注射装置。
【請求項１１】
前記蓋（１１）を前記ベース（１２）へと可逆にロックするように構成された前記本体ケース（１０）の少なくとも１つの開放手段を更に備えることを特徴とする請求項１〜９のいずれか一項に記載の薬物注射装置。
【請求項１２】
前記蓋（１１）と前記ベース（１２）との間の対応する機械的係合部によって前記蓋（１１）を前記ベース（１２）へと可逆にロックするように構成された前記本体ケース（１０）の少なくとも１つの開放手段を更に備え、
前記蓋（１１）をロックするための手段は、前記薬物シリンジ取り付け部品が前記取り付け位置から離れて位置しているときに前記開放手段を妨げることにより、前記開放手段が作動して前記閉じられた状態の蓋（１１）が開くことを防止するように構成されていることを特徴とする請求項１〜６のいずれか一項に記載の薬物注射装置。
【請求項１３】
前記開放手段は、前記ベース（１２）又は前記蓋（１１）に配置された少なくとも１つの開放ボタン（１５ａ）とすることができ、そのような開放ボタン（１５ａ）を、押すこと又は回すことなどによって作動させることができることを特徴とする請求項１２に記載の薬物注射装置。
【請求項１４】
前記開放手段は、前記本体ケース（１０）のうちの前記蓋（１１）とベース（１２）との間のヒンジ（２５）とは反対の側において前記蓋（１１）及びベース（１２）に位置していることを特徴とする請求項１３に記載の薬物注射装置。
【請求項１５】
前記蓋（１１）を前記ベース（１２）から完全に分離させることができ、少なくとも２つの開放手段（１５ａ、１５ｂ）が前記本体ケース（１０）の両側に存在し、前記蓋（１１）をロックするための手段は、両方の開放手段の作動を、該開放手段を機械的に妨げることによって防止することを特徴とする請求項１３に記載の薬物注射装置。
【請求項１６】
前記開放手段は、前記蓋（１１）又はベース（１２）に位置する前記開放ボタン（１５ａ）を押すことにより、前記本体ケース（１０）の内部へと向かう動きによって前記ベース（１２）又は蓋（１１）に位置するロック片（１５ｂ）から分離させることで作動させられ、そのような開放ボタン（１５ａ）の動きは、前記薬物シリンジ取り付け部品が前記取り付け位置から離れるように動かされているとき、前記薬物シリンジ取り付け部品に接続されたロッドによって阻止されることを特徴とする請求項１２〜１５のいずれか一項に記載の薬物注射装置。
【請求項１７】
前記開放手段は、前記蓋（１１）又はベース（１２）に位置する前記開放ボタン（１５ａ）の一部分を押すことにより、前記本体ケースの内部へと向かう動きによって前記ベース（１２）又は蓋（１１）に位置するロック片（１５ｂ）から分離させることで作動させられ、そのような開放ボタン（１５ａ）の動きは、ロッドによって阻止され、該ロッドは、電磁アクチュエータによって前進させられ、該電磁アクチュエータは、前記薬物シリンジ取り付け部品が前記取り付け位置から離れるように動かされているときに信号を発する前記制御部又はスイッチ／センサによって作動させられることを特徴とする請求項１２〜１５のいずれか一項に記載の薬物注射装置。
【発明の詳細な説明】
【技術分野】
【０００１】
本発明は、薬物注射装置に関する。
【背景技術】
【０００２】
従来の薬物注射装置は、本体ケースと、注射針を本体ケースから出し入れするための開口である注射針出し入れ穴と、本体ケースの内部に設けられ、（充てん済みの）薬物シリンジが取り付けられる薬物シリンジ取り付け部品と、この薬物シリンジ取り付け部品に対して移動することができるピストンと、ピストンを駆動する駆動機構と、この駆動機構に電気的に接続された制御回路とを有する。この薬物注射装置において、ピストンが動かされることによって薬物シリンジ内のシールゴムが押されるとき、薬物が、薬物シリンジの遠位端に取り付けられた注射針を通って、患者の体内へと自動的に注入される（例えば、特許文献１を参照）。
【０００３】
しかしながら、薬物注射装置は、ユーザによる取り扱いが不適切なこともある。例えば、（充てん済みの）薬物シリンジを本体ケース内に取り付け、本体ケースの蓋を閉じ、注射の手順を開始するユーザが、本体を開くことがある。そのような状況において、ユーザは、本体ケースの内部の可動部品に触れた場合に負傷する可能性があり、（移動中の）薬物シリンジ或いは薬物シリンジ取り付け部品又はピストンを移動させるための機構を破損させてしまう可能性があり、若しくは単に注射の中断を生じさせてしまう可能性がある。
【先行技術文献】
【特許文献】
【０００４】
【特許文献１】欧州特許第２３８４７７８号明細書
【発明の概要】
【発明が解決しようとする課題】
【０００５】
これに鑑み、本発明の目的は、ユーザが注射の手順の開始後且つ終了前に本体ケースの蓋を開いてしまうことを防止する安全措置を備える薬物注射装置を提供することにある。
【課題を解決するための手段】
【０００６】
本発明に関する薬物注射装置は、本体ケースと、薬物シリンジ取り付け部品と、ピストンと、駆動機構と、コントローラと、薬物注射装置の動作時に蓋をロックするための手段と、を備える。本体ケースは、蓋及びベースと、注射針出し入れ穴とを有する。薬物シリンジ取り付け部品は、本体ケースの内部に設けられ、（充てん済みの）薬物シリンジを内部に取り付けることが可能である。ピストンは、薬物シリンジ取り付け部品に対して移動することができる。駆動機構は、薬物シリンジ取り付け部品及びピストンを駆動する。コントローラは、駆動機構に電気的に接続される。薬物注射装置の動作時に蓋をロックするための手段は、蓋が閉じられているときに薬物シリンジ取り付け部品の動きによって作動及び作動停止させられる。
【０００７】
好ましくは、薬物注射装置は、コントローラによって薬物シリンジ取り付け部品及びピストンを駆動することができるよう、蓋が閉じられたことをコントローラに知らせるように構成されたセンサを更に備える。
【０００８】
好ましくは、薬物シリンジ取り付け部品は、薬物シリンジの注射針が本体ケースの内部に位置する位置、すなわち取り付け位置と、注射針が注射針出し入れ穴を通って延びる位置、すなわち注射位置との間を、往復移動可能である。薬物注射装置の注射針出し入れ穴が患者の皮膚に近づけられ、注射が患者によって開始される場合、薬物シリンジが取り付けられた薬物シリンジ取り付け部品の注射位置へと向かう動きが、注射針による患者の皮膚の自動的な穿刺を生じさせる。薬物シリンジ取り付け部品が注射位置にあるときに、ピストンが駆動機構によって自動的に動かされ、薬物がシリンジ胴部からシリンジ針を通って患者の体内に排出される。注射の終了後に、薬物シリンジ取り付け部品は、注射位置から取り付け位置へと後方に動かされる。
【０００９】
好ましい実施形態において、薬物シリンジ取り付け部品は、薬物シリンジを着脱可能に取り付けることができるスレッジである。
【００１０】
一実施形態において、駆動機構は、ピストンのための駆動手段と、薬物シリンジ取り付け部品のための別の駆動手段とを備える。好ましくは、ピストンのための駆動手段は、薬物シリンジ取り付け部品に取り付けられる。ピストン及び薬物シリンジ取り付け部品のための駆動手段は、電気機械モータ又はばね駆動システムであってよい。
【００１１】
一実施形態において、薬物シリンジ取り付け部品は、ベースの内部に取り付けられる。蓋をロックするための手段は、蓋に接続された第１のロック手段を備え、第１のロック手段は、薬物シリンジ取り付け部品に接続された第２のロック手段と相互作用するように構成され、相互作用時には蓋と薬物シリンジ取り付け部品とを互いに分離させることが不可能である。相互作用は、蓋が閉じられているときに限り、薬物シリンジ取り付け部品が取り付け位置から離れるように動かされることで生じる。薬物シリンジ取り付け部品が、別の位置、すなわち注射位置から、再び取り付け位置に到達すると、蓋のロック手段と薬物シリンジ取り付け部品との間の相互作用は終わる。
【００１２】
第１のロック手段は、蓋から本体ケースの内部へと薬物シリンジ取り付け部品に向かって延びている少なくとも１つのフックであってよく、前記第２のロック手段は、薬物シリンジ取り付け部品の少なくとも片側から横方向に延びている長手方向（薬物シリンジ取り付け部品の移動方向）のリムであってよい。少なくとも１つのリムは、蓋が閉じられ、薬物シリンジ取り付け部品が取り付け位置から離れるように動かされるときに、少なくとも１つのフックによって捕まえられるように構成される。或いは、フック及びリムを、蓋から延びる輪と、薬物シリンジ取り付け部品に横方向に取り付けられたロッドとによって置き換えることができ、或いは互いに係合するように構成された他の同様の構造ペアによって置き換えることができる。
【００１３】
別の好ましい実施形態において、蓋はヒンジによってベースに接続され、第１及び第２のロック手段は、蓋及び薬物シリンジ取り付け部品においてヒンジとは反対の側に位置する。
【００１４】
代案の実施形態においては、蓋をベースから完全に取り外すことができる。その場合、蓋は、本体ケースの内側に面するように蓋の両側に配置された２つの第１のロック手段を有し、薬物シリンジ取り付け部品は、２つの対応する第２のロック手段を有する。
【００１５】
薬物注射装置は、蓋をベースへと可逆にロックするように構成された少なくとも１つの開放手段を備えることができる。そのような開放手段は、ベース又は蓋に配置された少なくとも１つの開放ボタンであってよい。開放ボタンは、開放ボタンの操作（押す、回す、など）によって解除することができる蓋とベースとの間の対応する機械的係合部によって本体ケースをロックする。開放ボタンは、本体ケースのうちの蓋とベースとの間のヒンジとは反対の側において蓋及びベースに位置し、或いは蓋をベースから完全に分離させることができる場合には、少なくとも２つの開放ボタンが本体ケースの２つの反対向きの側に存在する。この１つ以上の開放ボタンは、上述のように、蓋が閉じられており、薬物注射装置の動作時に蓋をロックするための手段が働いているときには、機能しない。
【００１６】
別の実施形態において、薬物注射装置は、蓋をベースへと可逆にロックするように構成された少なくとも１つの開放手段を備える。開放手段は、開放手段の動作によって解除することができる蓋とベースとの間の対応する機械的係合部によって本体ケースをロックする。この代案の実施形態において、蓋をロックするための手段は、開放手段を機械的に阻止することによって開放手段の作動を防止する。そのような阻止は、蓋が閉じられているときに限り、薬物シリンジ取り付け部品が取り付け位置から離れるように動かされることで生じる。薬物シリンジ取り付け部品が、別の位置、すなわち注射位置から、再び取り付け位置に到達すると、開放ボタンの阻止は終わる。
【００１７】
そのような開放手段は、ベース又は蓋に配置された少なくとも１つの開放ボタンであってよい。そのような開放ボタンを、押すこと又は回すことなどによって作動させることができる。
【００１８】
好ましくは、開放ボタンは、本体ケースのうちの蓋とベースとの間のヒンジとは反対の側において蓋及びベースに位置し、或いは蓋をベースから完全に分離させることができる場合には、少なくとも２つの開放ボタンが本体ケースの２つの反対向きの側に存在する。２つの開放ボタンの場合に、蓋をロックするための手段は、両方の開放ボタンの作動を、これらの開放ボタンを機械的に阻止することによって防止する。
【００１９】
一実施形態においては、開放ボタンを、蓋又はベースに位置する開放ボタンの一部分を押すことにより、本体ケースの内部へと向かう動きによってベース又は蓋に位置する開放ボタンの対応する部分から切り離すことで作動させることができる。開放ボタンの動きを、薬物シリンジ取り付け部品が取り付け位置から離れるように動かされているときに、薬物シリンジ取り付け部品に接続されたロッドによって阻止することができる。
【００２０】
別の実施形態において、ロッドは、薬物シリンジ取り付け部品に接続されず、ロッドは、電磁アクチュエータによって前進させられる。電磁アクチュエータは、制御部、或いは薬物シリンジ取り付け部品が取り付け位置から離れるように動かされているときに信号を発するスイッチ／センサによって作動させられる。
【００２１】
本発明の薬物注射装置によれば、注射の手順の最中の本体ケースの蓋の開放が防止される。これは、ユーザが本体ケースの内部の可動部品に触れることによって怪我をすることを防止し、薬物注射装置及び薬物シリンジの動作の最中の損傷を防止し、中断のない注射を可能にする。
【図面の簡単な説明】
【００２２】
【図１】蓋が開かれた状態及び閉じられた状態の薬物注射装置。
【図２】シリンジが取り付けられた状態の薬物注射装置のＡ−Ａに沿った断面図である。
【図３ａ】シリンジが取り付けられていない状態の薬物注射装置のＡ−Ａに沿った断面図である。
【図３ｂ】シリンジが取り付けられていない状態の薬物注射装置のＡ−Ａに沿った断面図である。
【図３ｃ】シリンジが取り付けられていない状態の薬物注射装置のＡ−Ａに沿った断面図である。
【図３ｄ】シリンジが取り付けられていない状態の薬物注射装置のＡ−Ａに沿った断面図である。
【図３ｅ】シリンジが取り付けられていない状態の薬物注射装置のＡ−Ａに沿った断面図である。
【発明を実施するための形態】
【００２３】
図１は、蓋が開かれた状態の薬物注射装置を左側に示し、蓋が閉じられた状態の薬物注射装置を右側に示している。
【００２４】
薬物注射装置は、本体ケース１０を有している。本体ケース１０は、蓋１１及びベース１２と、注射針出し入れ穴８とを有している。蓋１１は、ヒンジ２５によってベース１２に回転可能に接続されている（図２を参照）。案内ピン２０が、蓋１１を閉じるときに蓋１１をベース１２に整列させる。薬物シリンジ針による穿刺及び薬物シリンジの中身の送出を含む自動注射手順の開始のための作動ボタン１４、並びに注射装置又は注射手順の状態についての情報を知らせるための表示装置１６が、本体ケース１０の外側に設けられている。蓋１１が閉じられているときに蓋１１を開くためには、ベース１２に設けられた開放ボタン１５ａを押さなければならない。開放ボタン１５ａを押すと、蓋１１に取り付けられたロック片１５ｂが、蓋１１を開くことができるように開放ボタン１５ａから外れる。
【００２５】
スレッジ１３が、本体ケース１０の内部に設けられ、薬物シリンジ１７をスレッジ１３上に取り付けることができる。薬物シリンジ１７は、薬物で満たされたシリンジ胴部を有している。シリンジ胴部は、開放端と、針端とを有している。シリンジ胴部に、シリンジ胴部の開放端を閉じる可動なシールゴムが存在する。可動なシールゴムに接触したピストンロッド６を、電気機械モータ２６によって駆動されるピストン２９によって薬物シリンジ１７の針端に向かって移動させることができる（図３ｂを参照）。針１８が、薬物シリンジ胴部の針端に取り付けられ、針カバー１９を有している。針カバー１９を、注射の手順の開始に先立って取り除かなければならない。薬物シリンジ１７のピストンロッド６に接触したピストン２９が、スレッジ１３に対して移動可能である。電気機械モータ２６、２７（図２を参照）は、スレッジ１３及びピストン２９を駆動する。
【００２６】
コントローラが、電気機械モータ２６、２７に電気的に接続される。カバー２２が、電気機械モータ２６、２７及びユーザによるアクセスを必要としない他のすべての構成部品を隠すために、ベース１２の内部に設けられている。
【００２７】
図２は、線Ａ−Ａに沿って得た図１に示した薬物注射装置の断面図である。蓋１１が、シェル１１ａ及び上部プレート１１ｂを備えている。上部プレート１１ｂは、蓋１１からスレッジ１３に向かって延び、スレッジ１３のうちのヒンジ２５とは反対の側から横方向に延びているリム２３と相互作用するフック２１（図１においても見て取ることができる）を有している。蓋１１が閉じられ、リムが、蓋１１を開くことができないように少なくとも１つのフックによって捕まえられる。
【００２８】
図３ａ〜図３ｅは、薬物注射装置の動作時に蓋１１がどのようにロックされるのかを、シリンジが取り付けられていない状態の線Ａ−Ａに沿って得た薬物注射装置の一連の断面図にて示している。図３ａ〜図３ｃにおいて、蓋１１は、開位置から閉位置へと動かされている。スレッジ１３は、蓋１１が開いているときにスレッジ１３上に薬物シリンジ１７を取り付けることができる取り付け位置にある。蓋１１の閉鎖時に、フック２１は、ベース１２及びカバー２２に向かって下方へと移動する。カバー２２は、蓋１１が閉位置（図３ｃ）にあるときに、フック２１をロック位置に位置させるようにフック２１を突き出させるための開口２４を有している。スレッジ１３のリム２３は、スレッジ１３が取り付け位置にあるとき、フック２１と相互作用しない。図３ｄにおいて、スレッジ１３は、取り付け位置から遠ざかるように移動させられており、リム２３が、フック２１によって捕まえられている。今や蓋１１が（スレッジ１３へと）ロックされ、スレッジ１３が再び取り付け位置に移動しない限り、蓋１１を開くことができない。また、蓋の上部シェル１１ａのベース１２との係合を解除すると考えられる開放ボタン１５ａの押し込みも、蓋１１を開くことを可能にしないと考えられる。図３ｅは、図３ｄと同じ状況を、斜視図にて示している。図３ｅにおいて、スレッジ１３について考えられる取り付け位置以外のあらゆる位置においてリム２３がフック２１を捕まえることができるように、リム２３がスレッジ１３の移動方向に特定の距離にわたって延びていることを、認識することができる。
【符号の説明】
【００２９】
６  ピストンロッド
８  注射針出し入れ穴
１０  本体ケース
１１  蓋
１１ａ  シェル
１１ｂ  上部プレート
１２  ベース
１３  スレッジ
１４  作動ボタン
１５ａ  開放ボタン
１５ｂ  ロック片
１６  表示装置
１７  薬物シリンジ
１８  針
１９  針カバー
２０  案内ピン
２１  フック
２２  カバー
２３  リム
２４  開口
２５  ヒンジ
２６  電気機械モータ
２７  電気機械モータ
２９  ピストン
【図１】
0006392782.tif 000002
【図２】
0006392782.tif 000003
【図３ａ】
0006392782.tif 000004
【図３ｂ】
0006392782.tif 000005
【図３ｃ】
0006392782.tif 000006
【図３ｄ】
0006392782.tif 000007
【図３ｅ】
0006392782.tif 000008